(57)【要約】【課題】電動ポンプを起動させた場合の脱調を抑制することが可能な電動ポンプ制御装置を提供する。【解決手段】この電動オイルポンプ制御装置５０（電動ポンプ制御装置）は、電動オイルポンプ１０を起動するための複数の起動定数が予め記憶されている記憶部５１と、電動オイルポンプ１０に関する状態に基づいて上位制御装置４０により選択された上位制御装置４０からの入力信号に基づいて、予め記憶部５１に記憶されている複数の起動定数のうちのいずれかの起動定数を選択する起動定数選択部５２とを備える。そして、電動オイルポンプ制御装置５０は、選択された起動定数に基づいて、電動オイルポンプ１０を起動するように制御する。【選択図】図１
2020202616.tif 000002
【特許請求の範囲】
【請求項１】
電動ポンプを制御する電動ポンプ制御装置であって、
前記電動ポンプを起動するための複数の起動定数が予め記憶されている記憶部と、
前記電動ポンプに関する状態に基づいて上位制御装置により選択された前記上位制御装置からの入力信号に基づいて、予め前記記憶部に記憶されている前記複数の起動定数のうちのいずれかの前記起動定数を選択する起動定数選択部とを備え、
選択された前記起動定数に基づいて、前記電動ポンプを起動するように制御する、電動ポンプ制御装置。
【請求項２】
前記起動定数は、前記電動ポンプが移送する液体の温度と、前記電動ポンプに対する負荷とのうちの少なくとも一方に基づいて予め定められている、請求項１に記載の電動ポンプ制御装置。
【請求項３】
前記電動ポンプに関する状態は、前記電動ポンプが移送する液体の温度と前記電動ポンプに対する負荷とのうちの少なくとも一方を含み、
前記上位制御装置は、前記電動ポンプが移送する液体の温度と前記電動ポンプに対する負荷とのうちの少なくとも一方に基づいて、複数の周波数のうちのいずれかの周波数を有する信号を前記入力信号として選択するように構成されている、請求項１または２に記載の電動ポンプ制御装置。
【請求項４】
前記起動定数は、前記上位制御装置からの前記入力信号の周波数に関連付けられているとともに、少なくとも、前記電動ポンプを起動する際の起動電圧と、強制転流のための強制転流周波数とを含む、請求項３に記載の電動ポンプ制御装置。
【請求項５】
前記起動定数選択部は、前記上位制御装置からの前記入力信号の周波数に基づいて、現在選択されている前記起動定数を、他の前記起動定数に切り替え可能に構成されている、請求項３または４に記載の電動ポンプ制御装置。
【請求項６】
上位制御装置と、
前記上位制御装置から入力信号が入力される、電動ポンプを制御する電動ポンプ制御装置とを備え、
前記上位制御装置は、前記電動ポンプに関する状態に基づいて、前記入力信号を選択するように構成されており、
前記電動ポンプ制御装置は、
前記電動ポンプを起動するための複数の起動定数が予め記憶されている記憶部と、
前記上位制御装置からの入力信号に基づいて、予め前記記憶部に記憶されている前記複数の起動定数のうちのいずれかの前記起動定数を選択する起動定数選択部とを含み、
選択された前記起動定数に基づいて、前記電動ポンプを起動するように制御する、電動ポンプ制御システム。
【発明の詳細な説明】
【技術分野】
【０００１】
本発明は、電動ポンプ制御装置および電動ポンプ制御システムに関し、特に、電動ポンプを制御する電動ポンプ制御装置および電動ポンプ制御システムに関する。
【背景技術】
【０００２】
従来、電動ポンプを制御する電動ポンプ制御装置が知られている（たとえば、特許文献１参照）。
【０００３】
上記特許文献１には、車両用電動オイルポンプを駆動する制御装置（電動ポンプ制御装置）が開示されている。この制御装置は、メインコンピュータと、ポンプ駆動コンピュータとを含む。メインコンピュータは、電動オイルポンプを駆動する電動モータの回転数の目標値を演算するとともに、演算した目標値を、ポンプ駆動コンピュータに出力する。なお、電動モータの回転数の目標値は、電動モータの動作期間に出力される。そして、ポンプ駆動コンピュータは、メインコンピュータから出力された電動モータの回転数の目標値に基づいて、電動モータの回転数や、電動モータに流れる電流を制御する。これにより、電動オイルポンプが駆動される。
【０００４】
また、メインコンピュータには、車両の変速機のオイルパン内の温度を検出する温度センサの出力（オイル温度の検出値）が入力される。そして、電動オイルポンプ（電動モータ）の停止期間において、オイル温度の検出値が、ポンプ駆動コンピュータに出力される。そして、ポンプ駆動コンピュータでは、入力されたオイル温度の検出値に基づいて、電動モータに流れる電流の上限値（電流上限値）が設定される。そして、ポンプ駆動コンピュータは、この電流上限値を上回らないように、電動オイルポンプの制御量（デューティ比）の増大を制限する。これにより、電動オイルポンプを再起動させた場合、電動モータや電動モータを駆動する回路などが過熱するのを抑制することが可能になる。
【先行技術文献】
【特許文献】
【０００５】
【特許文献１】特開２０１４−２０４５１号公報
【発明の概要】
【発明が解決しようとする課題】
【０００６】
しかしながら、上記特許文献１に開示されている車両用電動オイルポンプを駆動する制御装置では、入力されたオイル温度の検出値に基づいて、電動モータに流れる電流の上限値が設定されることにより、電動オイルポンプを再起動させた場合の電動モータや電動モータを駆動する回路などの過熱が抑制されている一方、オイル温度によっては（オイルの粘性が高い場合など）、電動モータが脱調する場合があるという問題点が考えられる。
【０００７】
この発明は、上記のような課題を解決するためになされたものであり、この発明の１つの目的は、電動ポンプを起動させた場合の脱調を抑制することが可能な電動ポンプ制御装置および電動ポンプ制御システムを提供することである。
【課題を解決するための手段】
【０００８】
上記目的を達成するために、この発明の第１の局面における電動ポンプ制御装置は、電動ポンプを制御する電動ポンプ制御装置であって、電動ポンプを起動するための複数の起動定数が予め記憶されている記憶部と、電動ポンプに関する状態に基づいて上位制御装置により選択された上位制御装置からの入力信号に基づいて、予め記憶部に記憶されている複数の起動定数のうちのいずれかの起動定数を選択する起動定数選択部とを備え、選択された起動定数に基づいて、電動ポンプを起動するように制御する。
【０００９】
この発明の第１の局面における電動ポンプ制御装置は、上記のように、上位制御装置からの入力信号に基づいて、予め記憶部に記憶されている複数の起動定数のうちのいずれかの起動定数を選択する起動定数選択部を備える。これにより、予め記憶部に記憶されている複数の起動定数のうちのいずれかの起動定数が選択されるので、起動定数が単一の場合と異なり、電動ポンプに関する状態に対して適切に、電動ポンプを起動することができる。その結果、電動ポンプを起動させた場合の脱調を抑制することができる。
【００１０】
また、電動ポンプに関する状態に基づいて上位制御装置により選択された入力信号に基づいて、起動定数が選択されるので、複数の起動定数のうち、電動ポンプに関する状態に適切な起動定数の判断は、上位制御装置が行うことになる。これにより、電動ポンプ制御装置がいずれの起動定数が適切であるかの判断を行う必要がないとともに、起動定数を選択するために別途演算を行う必要もないので、電動ポンプ制御装置の制御負荷の増大を抑制することができる。その結果、既存の電動ポンプ制御装置の構成（ソフトウェア）を大きく変更することなく、電動ポンプを制御することができる。このように、電動ポンプ制御装置の制御負荷が増大するのを抑制しながら、適切に電動ポンプを制御することができる。
【００１１】
上記第１の局面における電動ポンプ制御装置において、好ましくは、起動定数は、電動ポンプが移送する液体の温度と、電動ポンプに対する負荷とのうちの少なくとも一方に基づいて予め定められている。
【００１２】
このように構成すれば、電動ポンプが移送する液体の温度と、電動ポンプに対する負荷とのうちの少なくとも一方に応じて、適切に電動ポンプを起動することができる。
【００１３】
上記第１の局面における電動ポンプ制御装置において、好ましくは、電動ポンプに関する状態は、電動ポンプが移送する液体の温度と電動ポンプに対する負荷とのうちの少なくとも一方を含み、上位制御装置は、電動ポンプが移送する液体の温度と電動ポンプに対する負荷とのうちの少なくとも一方に基づいて、複数の周波数のうちのいずれかの周波数を有する信号を入力信号として選択するように構成されている。
【００１４】
このように構成すれば、電動ポンプに関する状態は、電動ポンプが移送する液体の温度と電動ポンプに対する負荷とのうちの少なくとも一方を含むので、電動ポンプが移送する液体の温度と電動ポンプに対する負荷とのうちの少なくとも一方に対して、適切な起動定数を選択することができる。
【００１５】
この場合、好ましくは、起動定数は、上位制御装置からの入力信号の周波数に関連付けられているとともに、少なくとも、電動ポンプを起動する際の起動電圧と、強制転流のための強制転流周波数とを含む。
【００１６】
このように構成すれば、電動ポンプが移送する液体の温度と電動ポンプに対する負荷とのうちの少なくとも一方に適切な起動電圧および強制転流周波数によって電動ポンプを起動することができる。これにより、不適切な起動電圧および不適切な強制転流周波数によって電動ポンプが起動されることに起因して、電動ポンプが脱調するのを抑制することができる。また、起動定数が上位制御装置からの入力信号の周波数に関連付けられているので、入力信号の周波数に基づいて、容易に、起動定数を選択することができる。
【００１７】
上記複数の周波数のうちのいずれかの周波数を有する信号が入力信号として上位制御装置により選択される電動ポンプ制御装置において、好ましくは、起動定数選択部は、上位制御装置からの入力信号の周波数に基づいて、現在選択されている起動定数を、他の起動定数に切り替え可能に構成されている。
【００１８】
このように構成すれば、起動定数が固定されている場合と異なり、電動ポンプの状態（電動ポンプが移送する液体の温度、電動ポンプに対する負荷など）が変化した場合でも、起動定数を切り替えることによって、適切に電動ポンプを制御することができる。
【００１９】
この発明の第２の局面における電動ポンプ制御システムは、上位制御装置と、上位制御装置から入力信号が入力される、電動ポンプを制御する電動ポンプ制御装置とを備え、上位制御装置は、電動ポンプに関する状態に基づいて、入力信号を選択するように構成されており、電動ポンプ制御装置は、電動ポンプを起動するための複数の起動定数が予め記憶されている記憶部と、上位制御装置からの入力信号に基づいて、予め記憶部に記憶されている複数の起動定数のうちのいずれかの起動定数を選択する起動定数選択部とを含み、選択された起動定数に基づいて、電動ポンプを起動するように制御する。
【００２０】
この発明の第２の局面における電動ポンプ制御システムは、上記のように、電動ポンプ制御装置は、上位制御装置からの入力信号に基づいて、予め記憶部に記憶されている複数の起動定数のうちのいずれかの起動定数を選択する起動定数選択部を含む。これにより、予め記憶部に記憶されている複数の起動定数のうちのいずれかの起動定数が選択されるので、起動定数が単一の場合と異なり、電動ポンプに関する状態に対して適切に、電動ポンプを起動することができる。その結果、電動ポンプを起動させた場合の脱調を抑制することができる。
【００２１】
また、複数の起動定数のうち、電動ポンプに関する状態に適切な起動定数の判断は、上位制御装置が行うことになる。これにより、電動ポンプ制御装置がいずれの起動定数が適切であるかの判断を行う必要がないとともに、起動定数を選択するために別途演算を行う必要もないので、電動ポンプ制御装置の制御負荷の増大を抑制することができる。その結果、既存の電動ポンプ制御装置の構成（ソフトウェア）を大きく変更することなく、電動ポンプを制御することができる。このように、電動ポンプ制御装置の制御負荷が増大するのを抑制しながら、適切に電動ポンプを制御することが可能な電動ポンプ制御システムを提供することができる。また、上位制御装置は、電動ポンプに関する状態に基づいて入力信号を選択するので、電動ポンプ制御システムにおいて、別途演算を行うことなく起動定数が選択される。これにより、電動ポンプ制御システムの制御負荷が増大するのを抑制することができる。
【００２２】
なお、本出願では、上記の電動ポンプ制御装置において、以下の構成も考えられる。
【００２３】
（付記項１）
上記起動定数が少なくとも起動電圧と強制転流周波数とを含む電動ポンプ制御装置において、起動定数選択部は、電動ポンプが移送する液体の温度が高い場合、複数の起動定数のうちから、大きい強制転流周波数を選択し、電動ポンプが移送する液体の温度が低い場合、複数の起動定数のうちから、小さい強制転流周波数を選択する。
【００２４】
このように構成すれば、液体の温度（粘性）や負荷に対して、強制転流周波数が大き過ぎる（または、小さ過ぎる）ことに起因して、電動ポンプを駆動する電動モータが脱調するのを抑制することができる。
【００２５】
（付記項２）
上記起動定数が少なくとも起動電圧と強制転流周波数とを含む電動ポンプ制御装置において、起動定数選択部は、電動ポンプが移送する液体の温度が高い場合、複数の起動定数のうちから、低い起動電圧を選択し、電動ポンプが移送する液体の温度が低い場合、複数の起動定数のうちから、高い起動電圧を選択する。
【００２６】
このように構成すれば、液体の温度（粘性）や負荷に対して、起動電圧が高過ぎる（または、低過ぎる）ことに起因して、電動ポンプを駆動する電動モータが脱調するのを抑制することができる。
【００２７】
（付記項３）
上記第１の局面による電動ポンプ制御装置および第２の局面による電動ポンプ制御システムにおいて、電動ポンプが移送する液体は、油を含む。
【００２８】
このように構成すれば、油は、温度によって粘性が変化するので、油の温度によって電動ポンプに対する負荷も変化する。そこで、上記のように、複数の起動定数のうちのいずれかの起動定数を選択することは、電動ポンプを適切に制御する点において特に有効である。
【００２９】
（付記項４）
上記第１の局面による電動ポンプ制御装置および第２の局面による電動ポンプ制御システムにおいて、記憶部には、３つ以上の起動定数が予め記憶されている。
【００３０】
このように構成すれば、起動定数の数が比較的多くなるので、電動ポンプが移送する液体の温度や負荷に応じて、より適切に電動ポンプを制御することができる。
【図面の簡単な説明】
【００３１】
【図１】一実施形態による電動オイルポンプ制御システムのブロック図である。
【図２】一実施形態による入力信号のデューティ比と目標電流値との関係を示す図である。
【図３】一実施形態による電動オイルポンプ制御装置の動作を説明するためのフロー図である。
【発明を実施するための形態】
【００３２】
以下、本発明の実施形態を図面に基づいて説明する。
【００３３】
［本実施形態］
図１〜図３を参照して、本実施形態による電動オイルポンプ制御システム１００の構成について説明する。なお、電動オイルポンプ制御システム１００は、特許請求の範囲の「電動ポンプ制御システム」の一例である。
【００３４】
図１に示すように、電動オイルポンプ制御システム１００は、電動オイルポンプ１０の駆動を制御するように構成されている。また、電動オイルポンプ１０は、たとえば、車両（自動車）に搭載されている。また、電動オイルポンプ１０は、たとえば、車両（自動車）において、変速機２０に対して油を移送する（供給する）ように構成されている。また、電動オイルポンプ１０は、電動モータ１１と、ポンプ部１２とを含む。なお、電動オイルポンプ１０は、特許請求の範囲の「電動ポンプ」の一例である。
【００３５】
また、電動モータ１１は、センサレスブラシレスモータからなる。すなわち、電動モータ１１は、ブラシと整流子とを有さないモータである。また、電動モータ１１は、ロータに永久磁石が設けられ、ステータにコイルが設けられている。そして、ロータの回転位置が検出されて、モータの回転（ロータの位置）に合わせて、コイルに流す電流が切り替えられる。なお、電流の切り替えは、プリドライバ回路３０およびインバータ回路３１により制御される。
【００３６】
また、電動モータ１１は、モータの回転（ロータの位置）を検出するセンサを有しない。電動モータ１１では、ロータが回転することにより発生する起電力（誘起電圧）の波形に基づいて、ロータの位置が特定される。ここで、電動モータ１１の起動時には、ロータが回転していない。このため、誘起電圧が発生しないので、ロータの位置の特定が困難である。そこで、電動モータ１１では、特定の周波数（強制転流周波数）を有する信号をプリドライバ回路３０およびインバータ回路３１のスイッチング素子に入力することにより、ロータを回転（強制転流）させる。その結果、誘起電圧が発生するので、誘起電圧の波形に基づいて、ロータの位置が特定される。上記の強制転流周波数と起動時に電動モータ１１に印加される起動電圧（ＰＷＭ信号のデューティ比）は、起動定数と呼ばれる。
【００３７】
また、変速機２０には、油の温度を検出するための温度センサ２１が設けられている。温度センサ２１によって検出された油の温度は、後述する上位制御装置４０に出力される。
【００３８】
また、電動オイルポンプ制御システム１００は、上位制御装置４０と、電動オイルポンプ制御装置５０とを備えている。上位制御装置４０は、たとえば、ＥＣＵ（ｅｎｇｉｎｅ  ｃｏｎｔｒｏｌ  ｕｎｉｔ）から構成されている。ＥＣＵは、車両を電子制御するためのコンピュータである。また、電動オイルポンプ制御装置５０は、マイコンなどにより構成されている。なお、電動オイルポンプ制御装置５０は、特許請求の範囲の「電動ポンプ制御装置」の一例である。
【００３９】
また、電動オイルポンプ制御装置５０には、上位制御装置４０から入力信号が入力される。具体的には、電動オイルポンプ制御装置５０には、上位制御装置４０から信号入力回路５３を介して、所定の周波数を有する入力信号が入力される。なお、入力信号は、ＰＷＭ信号からなる。電動オイルポンプ制御装置５０は、入力信号（ＰＷＭ信号）のデューティ比（Ｄｕｔｙ）に基づいて、電動オイルポンプ１０の駆動を制御する。具体的には、入力信号（ＰＷＭ信号）のデューティ比に基づいて、動作指示・目標電流演算部５４は、電動モータ１１の動作状態（停止、動作など）を指示する。また、動作指示・目標電流演算部５４は、入力信号（ＰＷＭ信号）のデューティ比に基づいて、目標電流値を演算する。また、目標電流値に基づいて、モータ制御回路５５が、プリドライバ回路３０およびインバータ回路３１を制御する。これにより、電動モータ１１に目標電流が流される。また、インバータ回路３１から出力される電流値が電流検出回路５６に検出される。また、インバータ回路３１から出力される電圧が電圧検出回路５７に検出される。そして、モータ制御回路５５は、検出された電流値および電圧値に基づいて、フィードバック制御を行う。また、モータ制御回路５５は、電動モータ１１の動作状態を、信号出力回路５８を介して、上位制御装置４０に出力する。なお、信号出力回路５８からの出力信号は、ＰＷＭ信号からなる。また、電動オイルポンプ制御装置５０には、電源５９から電力が供給される。また、電動オイルポンプ制御装置５０は、接地されている。
【００４０】
ここで、本実施形態では、上位制御装置４０は、電動オイルポンプ１０に関する状態に基づいて、入力信号を選択するように構成されている。具体的には、電動オイルポンプ１０に関する状態は、電動オイルポンプ１０が移送する油の温度と電動オイルポンプ１０に対する負荷とのうちの少なくとも一方を含む。そして、上位制御装置４０は、電動オイルポンプ１０が移送する油の温度と電動オイルポンプ１０に対する負荷とのうちの少なくとも一方（具体的には、電動オイルポンプ１０が移送する油の温度）に基づいて、複数の周波数のうちのいずれかの周波数を有する信号を、入力信号（電動オイルポンプ制御装置５０に入力される信号）として選択するように構成されている。具体的には、上位制御装置４０には、変速機２０に設けられる温度センサ２１によって検出された油の温度の検出値が入力される。そして、上位制御装置４０は、油の温度の検出値が、所定の閾値よりも小さい場合、入力信号（ＰＷＭ信号）の周波数として、ｆ１（たとえば、１００Ｈｚ）を選択する。そして、周波数ｆ１を有するＰＷＭ信号を、電動オイルポンプ制御装置５０に出力する。また、上位制御装置４０は、油の温度の検出値が、所定の閾値以上である場合、入力信号（ＰＷＭ信号）の周波数として、ｆ２（たとえば、２００Ｈｚ）を選択する。そして、周波数ｆ２を有するＰＷＭ信号を、電動オイルポンプ制御装置５０に出力する。すなわち、油の温度の範囲に応じて、周波数が選択されている。また、上位制御装置４０のソフトウェアが調整されることにより、周波数ｆ１を有するＰＷＭ信号または周波数ｆ２を有するＰＷＭを出力することが可能になる。なお、周波数ｆ２は、２００Ｈｚ以外の周波数でもよい。
【００４１】
また、電動オイルポンプ制御装置５０は、記憶部５１を備えている。記憶部５１には、電動オイルポンプ１０を起動するための複数の起動定数が予め記憶されている。具体的には、下記の表１に示すように、記憶部５１には、２つの起動定数Ａおよび起動定数Ｂが予め記憶されている。
【表１】
2020202616.tif 000003
【００４２】
また、本実施形態では、起動定数は、電動オイルポンプ１０が移送する油の温度と、電動オイルポンプ１０に対する負荷とのうちの少なくとも一方（具体的には、電動オイルポンプ１０が移送する油の温度）に基づいて予め定められている。ここで、油の温度が高い場合、油の粘性が小さくなる（粘り気が小さくなる）ので、電動オイルポンプ１０の負荷は小さくなる。一方、油の温度が低い場合、油の粘性が大きくなる（粘り気が大きくなる）ので、電動オイルポンプ１０の負荷は大きくなる。そこで、起動定数は、電動オイルポンプ１０が移送する油の温度に適合するように定められている。具体的には、電動オイルポンプ１０が移送する油の温度が低い場合、起動定数Ａが用いられ、油の温度が高い場合、起動定数Ｂが用いられる。
【００４３】
また、本実施形態では、上記の表１に示すように、起動定数は、上位制御装置４０からの入力信号の周波数に関連付けられた、少なくとも、電動オイルポンプ１０を起動する際の起動電圧と、強制転流のための強制転流周波数とを含む。具体的には、起動定数は、起動電圧と強制転流周波数との両方を含む。また、起動定数Ａは、周波数ｆ１に関連付けられているとともに、起動電圧ａおよび強制転流周波数ａを含む。また、起動定数Ｂは、周波数ｆ２に関連付けられているとともに、起動電圧ｂおよび強制転流周波数ｂを含む。なお、起動電圧ａは、起動電圧ｂよりも大きい（起動電圧ａ＞起動電圧ｂ）とする。また、強制転流周波数ａは、強制転流周波数ｂよりも小さい（強制転流周波数ａ＜強制転流周波数ｂ）とする。
【００４４】
ここで、本実施形態では、電動オイルポンプ制御装置５０は、起動定数選択部５２を備えている。起動定数選択部５２は、上位制御装置４０からの入力信号に基づいて、予め記憶部５１に記憶されている複数の起動定数のうちのいずれかの起動定数を選択するように構成されている。具体的には、上位制御装置４０から周波数ｆ１を有する入力信号（ＰＷＭ信号）が電動オイルポンプ制御装置５０に入力された場合、起動定数選択部５２は、周波数ｆ１に関連付けられた起動定数Ａ（起動電圧ａおよび強制転流周波数ａ）を選択する。そして、電動オイルポンプ制御装置５０（モータ制御回路５５）は、選択された起動定数Ａに基づいて、電動オイルポンプ１０を起動するように制御する。また、上位制御装置４０から周波数ｆ２を有する入力信号（ＰＷＭ信号）が電動オイルポンプ制御装置５０に入力された場合、起動定数選択部５２は、周波数ｆ２に関連付けられた起動定数Ｂ（起動電圧ｂおよび強制転流周波数ｂ）を選択する。そして、電動オイルポンプ制御装置５０（モータ制御回路５５）は、選択された起動定数Ｂに基づいて、電動オイルポンプ１０を起動するように制御する。
【００４５】
すなわち、起動定数選択部５２は、電動オイルポンプ１０が移送する油の温度が高い場合（所定の閾値以上の場合）、複数の起動定数のうちから、大きい強制転流周波数ｂを選択し、電動オイルポンプ１０が移送する油の温度が低い場合（所定の閾値より低い場合）、複数の起動定数のうちから、小さい強制転流周波数ａを選択する。つまり、油の粘性が小さい場合には、大きい強制転流周波数ｂが選択され、油の粘性が大きい場合には、小さい強制転流周波数ａが選択される。
【００４６】
また、起動定数選択部５２は、電動オイルポンプ１０が移送する油の温度が高い場合（所定の閾値以上の場合）、複数の起動定数のうちから、低い起動電圧ｂを選択し、電動オイルポンプ１０が移送する液体の温度が低い場合（所定の閾値より低い場合）、複数の起動定数のうちから、高い起動電圧ａを選択する。つまり、油の粘性が小さい場合には、低い起動電圧ｂが選択され、油の粘性が大きい場合には、高い起動電圧ａが選択される。
【００４７】
また、本実施形態では、起動定数選択部５２は、上位制御装置４０からの入力信号の周波数に基づいて、現在選択されている起動定数を、他の起動定数に切り替え可能に構成されている。すなわち、温度センサ２１によって検出された油の温度が変化した場合、現在選択されている起動定数が切り替えられる。たとえば、比較的低温であった油の温度が高温に変化した場合、起動定数Ａから起動定数Ｂに切り替えらえる。
【００４８】
次に、図２および下記の表２を参照して、入力信号（ＰＷＭ信号）のデューティ比と目標電流値との関係について説明する。なお、上記のように、上位制御装置４０から周波数ｆ１を有するＰＷＭ信号、または、周波数ｆ２を有するＰＷＭ信号のいずれかが起動定数選択部５２に入力される一方、下記の説明は、いずれの周波数を有するＰＷＭ信号に対しても同様である。
【表２】
2020202616.tif 000004
【００４９】
入力信号（ＰＷＭ信号）のデューティ比（Ｄｕｔｙ）が、１５％以上８５％以下の場合（範囲Ａ１）、デューティ比に応じて、目標電流値が割り当てられる。すなわち、１５％以上８５％以下のデューティ比の範囲が、目標電流値０Ａ以上５Ａ以下の範囲に割り当てられる。なお、デューティ比と目標電流値とは、一次関数（線形）の関係を有する。
【００５０】
入力信号のデューティ比が、５％以上１５％未満の場合（範囲Ａ２）、目標電流値が０Ａにされる。つまり、電動モータ１１が停止される。
【００５１】
入力信号のデューティ比が、８５％よりも大きく９５％以下の場合（範囲Ａ３）、目標電流値が５Ａにされる。
【００５２】
入力信号のデューティ比が、０％以上５％未満の場合（範囲Ａ４）、上位制御装置４０と電動オイルポンプ制御装置５０との間の通信線がショート（または、断線）している。
【００５３】
入力信号のデューティ比が、９５％よりも大きく１００％以下の場合（範囲Ａ５）、上位制御装置４０と電動オイルポンプ制御装置５０との間の通信線がショートしている。なお、上記の説明では、入力信号のデューティ比に応じて目標電流値が割り当てられる例を示したが、入力信号のデューティ比に応じてモータ駆動デューティ比を割り当ててもよい。
【００５４】
次に、図３を参照して、電動オイルポンプ制御装置５０の動作について説明する。
【００５５】
ステップＳ１において、電動オイルポンプ制御装置５０に入力される入力信号のデューティ比（Ｄｕｔｙ）が、１５％以上であるか否かが判定される。ｎｏ（Ｄｕｔｙ＜１５％）の場合、ステップＳ２に進む。ステップＳ２では、電動モータ１１が停止される。
【００５６】
ステップＳ１において、ｙｅｓ（Ｄｕｔｙ≧１５％）の場合、ステップＳ３に進む。ステップＳ３では、電動モータ１１が動作しているか否かが判定される。ステップＳ３においてｙｅｓの場合、ステップＳ４に進む。ステップＳ４では、入力信号のデューティ比に基づいて、目標電流値が割り当てられるとともに、割り当てられた目標電流値に基づいて、電動モータ１１が制御される。
【００５７】
ステップＳ３においてｎｏ（電動モータ１１が停止中）の場合、ステップＳ５に進む。ステップＳ５では、入力信号の周波数（ｆ１またはｆ２）が判定される。ステップＳ５において、入力信号の周波数がｆ１であると判定された場合、ステップＳ６に進む。ステップＳ６では、起動定数選択部５２により、起動定数Ａが選択される。そして、ステップＳ７に進む。ステップＳ７では、電動モータ１１が、起動定数Ａに基づいて、起動される。
【００５８】
また、ステップＳ５において、入力信号の周波数がｆ２であると判定された場合、ステップＳ８に進む。ステップＳ８では、起動定数選択部５２により、起動定数Ｂが選択される。そして、ステップＳ７に進む。ステップＳ７では、電動モータ１１が、起動定数Ｂに基づいて、起動される。
【００５９】
（本実施形態の効果）
本実施形態では、以下のような効果を得ることができる。
【００６０】
本実施形態では、上位制御装置４０からの入力信号に基づいて、予め記憶部５１に記憶されている複数の起動定数のうちのいずれかの起動定数を選択する起動定数選択部５２が設けられている。これにより、予め記憶部５１に記憶されている複数の起動定数のうちのいずれかの起動定数が選択されるので、起動定数が単一の場合と異なり、電動オイルポンプ１０に関する状態に対して適切に、電動オイルポンプ１０を起動することができる。その結果、電動オイルポンプ１０を起動させた場合の脱調を抑制することができる。
【００６１】
また、電動オイルポンプ１０に関する状態に基づいて上位制御装置４０により選択された入力信号に基づいて、起動定数が選択されるので、複数の起動定数のうち、電動オイルポンプ１０に関する状態に適切な起動定数の判断は、上位制御装置４０が行うことになる。これにより、電動オイルポンプ制御装置５０がいずれの起動定数が適切であるかの判断を行う必要がないとともに、起動定数を選択するために別途演算を行う必要もないので、電動オイルポンプ制御装置５０の制御負荷の増大を抑制することができる。その結果、既存の電動オイルポンプ制御装置５０の構成（ソフトウェア）を大きく変更することなく、電動オイルポンプ１０を制御することができる。このように、電動オイルポンプ制御装置５０の制御負荷が増大するのを抑制しながら、適切に電動オイルポンプ１０を制御することができる。
【００６２】
また、本実施形態では、電動オイルポンプ１０が移送する油の温度と、電動オイルポンプ１０に対する負荷とのうちの少なくとも一方に応じて、適切に電動オイルポンプ１０を起動することができる。
【００６３】
また、本実施形態では、電動オイルポンプ１０に関する状態は、電動オイルポンプ１０が移送する油の温度を含むので、電動オイルポンプ１０が移送する油の温度に対して、適切な起動定数を選択することができる。
【００６４】
また、本実施形態では、電動オイルポンプ１０が移送する油の温度と電動オイルポンプ１０に対する負荷とのうちの少なくとも一方に適切な起動電圧および強制転流周波数によって電動オイルポンプ１０を起動することができる。これにより、不適切な起動電圧および不適切な強制転流周波数によって電動オイルポンプ１０が起動されることに起因して、電動オイルポンプ１０が脱調するのを抑制することができる。また、起動定数が上位制御装置４０からの入力信号の周波数に関連付けられているので、入力信号の周波数に基づいて、容易に、起動定数を選択することができる。
【００６５】
また、本実施形態では、起動定数が固定されている場合と異なり、電動オイルポンプ１０の状態（電動オイルポンプ１０が移送する油の温度、電動オイルポンプ１０に対する負荷など）が変化した場合でも、起動定数を切り替えることによって、適切に電動オイルポンプ１０を制御することができる。
【００６６】
また、本実施形態では、油の温度（粘性）や負荷に対して、強制転流周波数が大き過ぎる（または、小さ過ぎる）ことに起因して、電動オイルポンプ１０を駆動する電動モータ１１が脱調するのを抑制することができる。
【００６７】
また、本実施形態では、油の温度（粘性）や負荷に対して、起動電圧が高過ぎる（または、低過ぎる）ことに起因して、電動オイルポンプ１０を駆動する電動モータ１１が脱調するのを抑制することができる。
【００６８】
また、油は、温度によって粘性が変化するので、油の温度によって電動オイルポンプ１０に対する負荷も変化する。そこで、本実施形態のように、複数の起動定数のうちのいずれかの起動定数を選択することは、電動オイルポンプ１０を適切に制御する点において特に有効である。
【００６９】
また、本実施形態では、上位制御装置４０は、電動オイルポンプ１０に関する状態に基づいて入力信号を選択するので、電動オイルポンプ制御システム１００において、別途演算を行うことなく起動定数が選択される。これにより、電動オイルポンプ制御システム１００の制御負荷が増大するのを抑制することができる。
【００７０】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７１】
たとえば、上記実施形態では、本発明の「電動ポンプ」として、電動オイルポンプ１０を適用する例を示したが、本発明はこれに限られない。本発明は、電動ウォータポンプなどの電動オイルポンプ１０以外の電動ポンプにも適用することも可能である。
【００７２】
また、上記実施形態では、起動定数が、電動オイルポンプ１０が移送する油の温度に基づいて予め定められている例を示したが、本発明はこれに限られない。本発明では、起動定数が、電動オイルポンプ１０に対する負荷に基づいて予め定められていてもよいし、電動オイルポンプ１０が移送する油の温度と電動オイルポンプ１０に対する負荷との両方に基づいて予め定められていてもよい。また、油の温度および負荷に加えて、（または、油の温度と負荷とは別個に）、個々の電動オイルポンプ１０の特性に基づいて、起動定数を定めてもよい。
【００７３】
また、上記実施形態では、電動オイルポンプ１０が移送する油の温度に基づいて、上位制御装置４０から電動オイルポンプ制御装置５０に入力される入力信号の周波数が選択される例を示したが、本発明はこれに限られない。たとえば、入力信号の周波数が、電動オイルポンプ１０に対する負荷に基づいて選択されてもよいし、電動オイルポンプ１０が移送する油の温度と電動オイルポンプ１０に対する負荷との両方に基づいて選択されてもよい。
【００７４】
また、上記実施形態では、起動定数が、電動ポンプを起動する際の起動電圧と強制転流のための強制転流周波数とを含む例を示したが、本発明はこれに限られない。たとえば、起動定数が、起動電圧および強制転流周波数以外のパラメータを含んでいてもよい。
【００７５】
また、上記実施形態では、記憶部５１に２つの起動定数Ａおよび起動定数Ｂが予め記憶されている例を示したが、本発明はこれに限られない。本発明では、記憶部５１に３つ以上の起動定数が予め記憶されていてもよい。たとえば、下記の表３に示すように、記憶部５１に、３つの起動定数Ａ、起動定数Ｂおよび起動定数Ｃが予め記憶されていてもよい。なお、起動定数Ｃ（起動電圧ｃおよび強制転流周波数ｃ）は、入力信号の周波数ｆ３（たとえば、３００Ｈｚ）に関連付けられている。これにより、起動定数の数が比較的多くなるので、電動オイルポンプ１０が移送する油の温度や負荷に応じて、より適切に電動オイルポンプ１０を制御することができる。なお、周波数ｆ３は、３００Ｈｚ以外の周波数でもよい。
【表３】
2020202616.tif 000005
【００７６】
また、上記実施形態では、電動オイルポンプが移送する油の温度が低い場合、起動定数Ａが用いられる（比較的大きい起動電圧ａが用いられるとともに、比較的小さい強制転流周波数ａが用いられる）例を示したが、本発明はこれに限られない。たとえば、電動オイルポンプが移送する油の温度が低い場合、起動電圧のみを大きくしてもよいし、強制転流周波数のみを小さくしてもよい。同様に、電動オイルポンプが移送する油の温度が高い場合、起動電圧のみを小さくしてもよいし、強制転流周波数のみを大きくしてもよい。
【符号の説明】
【００７７】
１０  電動オイルポンプ（電動ポンプ）
４０  上位制御装置
５０  電動オイルポンプ制御装置（電動ポンプ制御装置）
５１  記憶部
５２  起動定数選択部
１００  電動オイルポンプ制御システム（電動ポンプ制御システム）
【図１】
2020202616.tif 000006
【図２】
2020202616.tif 000007
【図３】
2020202616.tif 000008